(57)【要約】【課題】強制遮断機能を使用したいたずらを防止する。【解決手段】遮断許可判定部８が、流量センサ部１の流量信号よりガス流量がないと判断したとき、許可信号入力手段７から強制遮断許可信号が入力されている期間のみ強制遮断入力手段５からの強制遮断信号の受付けを可能とし、強制遮断信号の入力有を判断したとき強制閉栓信号を出力するようにした。【選択図】図３
2008117425.tif 000002
【特許請求の範囲】
【請求項１】
ガス通路内を通過するガス流量を検出する流量センサ部と、前記流量センサ部の流量信号からガス流量値を算出し該ガス流量値が予め保持している所定の値を超えた場合に閉栓信号を出力する流量判定部と、外部からの強制遮断要求を検出し強制遮断信号を出力する強制遮断入力手段と、外部からの強制遮断許可を検出し強制遮断許可信号を出力する許可信号入力手段と、前記許可信号入力手段の強制遮断許可信号と前記強制遮断入力手段の強制遮断信号に基づいて強制閉栓信号を出力する遮断許可判定部と、前記流量判定部からの閉栓信号または前記遮断許可判定部からの強制閉栓信号を受け取ると弁閉駆動信号を出力する弁駆動部と、前記弁駆動部からの弁閉駆動信号を受け取るとガス通路を閉止する弁とを備え、
前記遮断許可判定部は、前記流量センサ部の流量信号よりガス流量がないと判断したとき、前記許可信号入力手段から強制遮断許可信号が入力されている期間のみ前記強制遮断入力手段からの強制遮断信号の受付けを可能とし、強制遮断信号の入力有を判断したとき強制閉栓信号を出力するようにしたガス遮断装置。
【発明の詳細な説明】
【技術分野】
【０００１】
本発明は、ガスメータ以後のガス使用時にガス使用上の安全性を図るガス遮断装置に関するものである。
【背景技術】
【０００２】
従来、この種のガス遮断装置は図９に示されているように、流量センサ部１はガス通路を一定量のガスが通過すると流量パルス信号Ａを出力し、流量判定部２は前記流量センサ部１の前記流量パルス信号Ａを受け取るとガス流量値を算出し、前記ガス流量値があらかじめ保持している所定の値を超えていた場合に閉栓信号Ｂを出力し、強制遮断入力手段５は外部からの強制遮断要求を検出し強制遮断信号Ｄを出力し、弁駆動部３は前記流量判定部２の前記閉栓信号Ｂを受け取るか、または前記強制遮断判定部５の前記強制遮断信号Ｄを受け取ると弁閉駆動信号Ｃを出力し、弁４は前記弁駆動部３の前記弁閉駆動信号Ｃを受け取るとガス通路を閉止するようになっていた。
【発明の開示】
【発明が解決しようとする課題】
【０００３】
しかしながら、従来のガス遮断装置では、ガス遮断装置を電池で動作させているためガス通路の閉止能力（電池が消耗して遮断できないようになっていないかどうか）の確認を行うための強制遮断が随時受付可能なため、ガス使用者がガスを使用していてもガス通路が閉止されてしまっていた。
【０００４】
このことより、強制遮断をさせる操作手順を覚えた人物（子供等の正式な作業者でない人物）が本来のガス通路の閉止能力の確認ではなく、いたずら行為として強制遮断させ、ガス使用者のガス使用を妨害するという課題を有していた。
【課題を解決するための手段】
【０００５】
本発明は上記課題を解決するために、ガス通路内を通過するガス流量を検出する流量センサ部と、前記流量センサ部の流量信号からガス流量値を算出し該ガス流量値が予め保持している所定の値を超えた場合に閉栓信号を出力する流量判定部と、外部からの強制遮断要求を検出し強制遮断信号を出力する強制遮断入力手段と、外部からの強制遮断許可を検出し強制遮断許可信号を出力する許可信号入力手段と、前記許可信号入力手段の強制遮断許可信号と前記強制遮断入力手段の強制遮断信号に基づいて強制閉栓信号を出力する遮断許可判定部と、前記流量判定部からの閉栓信号または前記遮断許可判定部からの強制閉栓信号を受け取ると弁閉駆動信号を出力する弁駆動部と、前記弁駆動部からの弁閉駆動信号を受け取るとガス通路を閉止する弁とを備え、前記遮断許可判定部は、前記流量センサ部の流量信号よりガス流量がないと判断したとき、前記許可信号入力手段から強制遮断許可信号が入力されている期間のみ前記強制遮断入力手段からの強制遮断信号の受付けを可能とし、強制遮断信号の入力有を判断したとき強制閉栓信号を出力するようにしたものである。
【０００６】
上記発明によれば、強制遮断を実施できるのは、ガス使用者がガスを使用中であるかどうかを検知し、ガスの使用中であれば強制遮断によりガス通路を閉栓させず、ガスの使用中でないときで、ガス使用者またはガス工事者が強制遮断を許可している場合にのみ限定できるため、いたずらによる強制遮断を完全に防止することができ、かつガス使用者またはガス工事者は待ち時間がなく確実に強制遮断ができ、より利便性が向上する。
【発明の効果】
【０００７】
本発明のガス遮断装置によれば、強制遮断を実施できるのは、ガス使用者がガスを使用中であるかどうかを検知し、ガスの使用中であれば強制遮断によりガス通路を閉栓させず、ガスの使用中でないときで、ガス使用者またはガス工事者が強制遮断を許可している場合にのみ限定できるため、ガス使用者がガスを使用中にいたずらにより強制遮断されることを完全に防止する事ができると共に、強制遮断によるガス工事者の緊急出動回数を低減させることができ、かつガス使用者またはガス工事者は待ち時間がなく確実に強制遮断ができ、より利便性が向上する。
【発明を実施するための最良の形態】
【０００８】
本発明は、ガス通路内を通過するガス流量を検出する流量センサ部と、前記流量センサ部の流量信号からガス流量値を算出し該ガス流量値が予め保持している所定の値を超えた場合に閉栓信号を出力する流量判定部と、外部からの強制遮断要求を検出し強制遮断信号を出力する強制遮断入力手段と、外部からの強制遮断許可を検出し強制遮断許可信号を出力する許可信号入力手段と、前記許可信号入力手段の強制遮断許可信号と前記強制遮断入力手段の強制遮断信号に基づいて強制閉栓信号を出力する遮断許可判定部と、前記流量判定部からの閉栓信号または前記遮断許可判定部からの強制閉栓信号を受け取ると弁閉駆動信号を出力する弁駆動部と、前記弁駆動部からの弁閉駆動信号を受け取るとガス通路を閉止する弁とを備え、前記遮断許可判定部は、前記流量センサ部の流量信号よりガス流量がないと判断したとき、前記許可信号入力手段から強制遮断許可信号が入力されている期間のみ前記強制遮断入力手段からの強制遮断信号の受付けを可能とし、強制遮断信号の入力有を判断したとき強制閉栓信号を出力するようにしたことを特徴とするものである。
【０００９】
そして、強制遮断を実施できるのは、ガス使用者がガスを使用中であるかどうかを検知し、ガスの使用中であれば強制遮断によりガス通路を閉栓させず、ガスの使用中でないときで、ガス使用者またはガス工事者が強制遮断を許可している場合にのみ限定できるため、いたずらによる強制遮断を完全に防止することができ、かつガス使用者またはガス工事者は待ち時間がなく確実に強制遮断ができ、より利便性が向上する。
【実施例】
【００１０】
以下、本発明の実施例について図面を用いて説明する。
【００１１】
（他の実施例１）
図１は本発明の他の実施例１のガス遮断装置の機能ブロック図である。また図２は他の実施例１のプログラムフロー図である。
【００１２】
図１において、流量センサ部１はガス通路内を一定のガスが通過すると流量パルス信号Ａを出力する（例えば、ガス通路内の瞬間流量を測れる流量センサを使用しても同様の効果を得られる）。流量判定部２は流量センサ部１の流量パルス信号Ａからガス流量値を算出し、前記ガス流量値があらかじめ保持している所定の値を超えていた場合に閉栓信号Ｂを出力する。
【００１３】
強制遮断入力手段５は外部からの強制遮断要求を検出し（例えばプッシュスイッチ等による入力）強制遮断信号Ｄを出力する。強制遮断判定部６は強制遮断入力手段５の強制遮断信号Ｄを受け取り、流量センサ部１の流量パルス信号Ａがあらかじめ保持している一定間隔以上の間隔（例えば、２分間以上の間隔であればガスを使用していない可能性が十分にあり、かつ本来の強制遮断をさせるためにガス工事者がガス使用者にガスの使用を中止させてから閉止能力の点検を行うまでの待ち時間が必要最小限となり利便性の向上が図れる）で入力されている場合に強制閉栓信号Ｅを出力する。
【００１４】
弁駆動部３は流量判定部２の閉栓信号Ｂを受け取るか、または強制遮断判定部６の強制
閉栓信号Ｅを受け取ると弁閉駆動信号Ｃを出力する。弁４は弁駆動部３の弁閉駆動信号Ｃを受け取るとガス通路を閉止する。
【００１５】
次に動作、作用について説明すると、図２に上記手段のプログラムフローを処理Ｔ１から処理Ｔ８に示す。今、処理開始から処理終了までのフローはそれぞれインターバルカレンダ等により周期的に処理されるものとする。
【００１６】
ガス遮断装置の流量センサ部１において処理Ｔ１はガス通路内を一定のガスが通過したかを検知し処理Ｔ２へ移行する。処理Ｔ２はガス流量がある場合は処理Ｔ３へ移行し、ガス流量がない場合は処理Ｔ６へ移行する（例えば、ガス通路内の瞬間流量を測れる流量センサを使用しても同様の効果を得られる）。
【００１７】
流量判定部２において処理Ｔ３はあらかじめ保持している所定の値（例えば、ガス遮断装置の設計基準を超えるガス流量を検出した場合）を超えていた場合は処理Ｔ４へ移行し、超えていない場合は処理を終了する。弁駆動部３において処理Ｔ４は閉栓信号を出力し処理Ｔ５へ移行する。弁４において処理Ｔ５はガス通路を閉栓し処理を終了する。強制遮断判定部６はあらかじめ保持している一定間隔以上の時間（例えば、２分間以上）が経過している場合は処理Ｔ７へ移行し、経過していない場合は処理を終了する。
【００１８】
強制遮断入力手段５は外部からの強制遮断要求を検出し（例えばプッシュスイッチ等による入力）処理Ｔ８へ移行する。処理Ｔ８は強制遮断要求がある場合は処理Ｔ４へ移行し、強制遮断要求がない場合は処理を終了する。
【００１９】
（実施例）
図３は本発明の実施例のガス遮断装置の機能ブロック図である。また図４は実施例のプログラムフロー図である。なお上記他の実施例１と同一符号のものは同一構造を有し、説明は省略する。
【００２０】
他の実施例１と異なる点は、図３の機能ブロック図において、許可信号入力手段７は強制遮断をガス遮断装置が受け付けても良いかを伝達する信号を検知し（例えばプッシュスイッチ等による入力、あるいは家庭内に設置されている操作盤からの有線または無線信号や、電話等の公共の通信回線を利用し各ガス遮断装置を集中監視しているセンタ監視装置からの通信等でも同様の効果が得られる）強制遮断許可信号Ｆを出力する。
【００２１】
遮断許可判定部８は許可信号入力手段７の強制遮断許可信号Ｆを受け取っている間に、強制遮断入力手段５の強制遮断信号Ｄを受け取ると強制閉栓信号Ｅを出力するところである。
【００２２】
次に動作、作用について具体的な説明を図４を用いて説明する。
【００２３】
図４に上記手段のプログラムフローを処理Ｔ１から処理Ｔ１０に示す。なお実施例１と同一符号のものは同一構造を有し、説明は省略する。
【００２４】
ただし、処理Ｔ６は欠番とする。なお処理Ｔ２はガス流量がない場合は処理Ｔ７へ移行し、処理Ｔ３はあらかじめ保持している所定の値を超えていない場合は処理Ｔ７へ移行するものとする。
【００２５】
許可信号入力手段７において処理Ｔ９は強制遮断をガス遮断装置が受け付けても良いかを伝達する信号を検知し（例えばプッシュスイッチ等による入力、あるいは家庭内に設置されている操作盤からの有線または無線信号や、電話等の公共の通信回線を利用し各ガス
遮断装置を集中監視しているセンタ監視装置からの通信等でも同様の効果が得られる）処理Ｔ１０へ移行する。
【００２６】
遮断許可判定部８において処理Ｔ１０は強制遮断が許可されている場合は処理Ｔ４へ移行し、許可されていない場合は処理を終了する。
【００２７】
（他の実施例２）
図５は本発明の他の実施例２のガス遮断装置の機能ブロック図である。また図６は他の実施例２のプログラムフロー図である。なお他の実施例１と同一符号のものは同一構造を有し、説明は省略する。
【００２８】
他の実施例１と異なる点は、図５の機能ブロック図において、自動復帰判定部９は強制遮断入力手段５の強制遮断信号Ｄを受け取り、流量センサ部１の流量パルス信号Ａがあらかじめ保持している一定間隔以上の間隔（例えば２分間以上。２分以下だとガスが使用されている可能性が高く、ガス通路を閉止した後に開栓することで発生する失火状態でのガス流出を防止するため）で入力されている場合に自動復帰信号Ｇを出力する。
【００２９】
漏れ判定部１０は自動復帰判定部９の自動復帰信号Ｇを受け取るとガス漏れ（例えば、２分以内に流量パルス信号が発生しないこと。また圧力の変動を監視しても同様の効果が得られる）がないことを検出して開栓信号Ｈを出力する。
【００３０】
双方向弁駆動部１１は流量判定部２の閉栓信号Ｂを受け取るか、または強制遮断入力手段５の強制遮断信号Ｄを受け取ると弁閉駆動信号Ｃを出力し、漏れ判定部１０の開栓信号Ｈを受け取ると弁開駆動信号Ｉを出力する。双方向弁１２は双方向弁駆動部１１の弁閉駆動信号Ｃを受け取るとガス通路を閉止し、弁開駆動信号Ｉを受け取るとガス通路を開栓するところである。
【００３１】
次に動作、作用について具体的な説明を図６を用いて説明する。
【００３２】
図６に上記手段のプログラムフローを処理Ｔ１から処理Ｔ２７に示す。なお実施例１と同一符号のものは同一構造を有し、説明は省略する。
【００３３】
ただし、処理Ｔ６、処理Ｔ９、処理Ｔ１０は欠番とする。なお処理Ｔ２はガス流量がない場合は処理Ｔ２０へ移行し、処理Ｔ３はあらかじめ保持している所定の値を超えていない場合は処理Ｔ１３へ移行し、処理Ｔ５は処理Ｔ１２へ移行し、処理Ｔ８は強制遮断要求がある場合は処理Ｔ１７へ移行するものとする。
【００３４】
自動復帰判定部９において処理Ｔ１１は双方向弁が開栓中であるかを判定し、開栓中の場合は処理Ｔ７へ移行し、閉栓中の場合は処理Ｔ２３へ移行する。双方向弁駆動部１１において、処理Ｔ１２はカウンタをクリアして処理を終了する。
【００３５】
自動復帰判定部９において、処理Ｔ１３はカウントが許可されているかを判定し、許可されている場合は処理Ｔ１４へ移行し、許可されていない場合は処理を終了する。処理Ｔ１４はタイマをカウントして処理Ｔ１５へ移行する。
【００３６】
処理Ｔ１５はカウンタがオーバーするかを判定し、オーバーしている場合は処理Ｔ１６へ移行し、オーバーしていない場合は処理を終了する。処理Ｔ１６はカウントを禁止して処理を終了する。
【００３７】
処理Ｔ１７はカウント中（例えば４０秒以内。引越し等で長期に渡りガスを使用しない
場合は自動復帰を禁止し強制遮断状態のままにすることが望まれる。強制遮断の操作を短時間で２回連続で実施することで自動復帰を禁止を実現する）であるかを判定し、カウント中でない場合は処理Ｔ１８へ移行し、カウント中の場合は処理Ｔ１９へ移行する。
【００３８】
処理Ｔ１８は自動復帰を許可して処理Ｔ４へ移行する。処理Ｔ１９は自動復帰を禁止して処理Ｔ４へ移行する。処理Ｔ２０は一定間隔以上の流量パルス間隔があるかを判定し（例えば２分以上）、一定間隔以上あれる場合は処理Ｔ２１へ移行し、一定間隔以上ない場合は処理Ｔ２２へ移行する。処理Ｔ２１は自動復帰を許可して処理を終了する。処理Ｔ２２は自動復帰を禁止して処理を終了する。
【００３９】
処理Ｔ２３は自動復帰の許可を判定し、許可されている場合は処理Ｔ２４へ移行し、許可されていない場合は処理を終了する。漏れ判定部１０において処理Ｔ２４はガス漏れを判定し、ガスが漏れている場合は処理Ｔ２２へ移行し、ガスが漏れていない場合は処理Ｔ２５へ移行する。双方向弁駆動部１１において、処理Ｔ２５は開栓信号を出力し処理Ｔ２６へ移行する。双方向弁１２において処理Ｔ２６はガス通路を開栓し処理Ｔ２７へ移行する。
【００４０】
双方向弁駆動部１１において、処理Ｔ２７はカウントを許可して処理を終了する。
【００４１】
（他の実施例３）
図７は本発明の他の実施例３のガス遮断装置の機能ブロック図である。また図８は他の実施例３のプログラムフロー図である。なお他の実施例２と同一符号のものは同一構造を有し、説明は省略する。
【００４２】
他の実施例２と異なる点は、図４の機能ブロック図において、再入力判定部１３は強制遮断入力手段５の強制遮断信号Ｄを受け取り、あらかじめ保持している一定時間以内（例えば６０秒以内）に再度強制遮断入力手段５の強制遮断信号Ｄを受け取ると強制閉栓信号Ｅを出力する。
【００４３】
ＬＥＤ通信部１４は強制遮断入力手段５の強制遮断信号Ｄを受け取り、あらかじめ保持している一定時間以内（例えば４０秒以内）に外部よりＬＥＤ通信要求信号を受け取ると通信（リードスイッチとＬＥＤを使用した非接触の通信）を行うところである。
【００４４】
次に動作、作用について具体的な説明を図８を用いて説明する。
【００４５】
図８に上記手段のプログラムフローを処理Ｔ１から処理Ｔ４２に示す。なお実施例３と同一符号のものは同一構造を有し、説明は省略する。
【００４６】
ただし、処理Ｔ６、処理Ｔ９から処理Ｔ２７は欠番とする。なお処理Ｔ２はガス流量がない場合は処理を終了し、処理Ｔ３はあらかじめ保持している所定の値を超えていない場合は処理を終了し、処理Ｔ８は強制遮断要求がある場合は処理Ｔ３９へ移行するものとする。
【００４７】
再入力判定部１３において処理Ｔ２８はカウンタ１のカウント開始が許可されているかを判定し、許可されている場合は処理Ｔ２９へ移行し、許可されていない場合は処理Ｔ３５へ移行する。処理Ｔ２９はカウンタ１をカウントして処理Ｔ３０へ移行する。
【００４８】
ＬＥＤ通信部１４において処理Ｔ３０はＬＥＤ通信の開始信号の有無（例えばプッシュスイッチ等による入力）を検知し、開始信号がある場合は処理Ｔ３１へ移行し、開始信号がない場合は処理Ｔ３２へ移行する。処理Ｔ３１はＬＥＤ通信を行い処理Ｔ３２へ移行す
る。
【００４９】
再入力判定部１３において処理Ｔ３２はカウンタ１がオーバーしたかを判定し（例えば４０秒）、オーバーしている場合は処理Ｔ３３へ移行し、オーバーしていない場合は処理Ｔ３５へ移行する。処理Ｔ３３はカウンタ１のカウントを禁止して処理Ｔ３４へ移行する。処理Ｔ３４はカウンタ２のカウントを許可して処理Ｔ３５へ移行する。
【００５０】
処理Ｔ３５はカウンタ２のカウント開始が許可されているかを判定し、許可されている場合は処理Ｔ３６へ移行し、許可されていない場合は処理Ｔ７へ移行する。処理Ｔ３６はカウンタ２をカウントして処理Ｔ３７へ移行する。処理Ｔ３７はカウンタ２がオーバーしたかを判定し（例えば６０秒）、オーバーしている場合は処理Ｔ３８へ移行し、オーバーしていない場合は処理Ｔ７へ移行する。
【００５１】
処理Ｔ３９はカウンタ１がカウント中であるかを判定し、カウント中の場合は処理Ｔ４２へ移行し、カウント中でない場合は処理Ｔ４０へ移行する。処理Ｔ４０はカウンタ２がカウント中であるかを判定し、カウント中の場合は処理Ｔ４１へ移行し、カウント中でない場合は処理Ｔ４２へ移行する。処理Ｔ４１はカウンタ１のカウントを許可して処理Ｔ４へ移行する。処理Ｔ４２はカウンタ１のカウントを許可して処理を終了する。
【図面の簡単な説明】
【００５２】
【図１】本発明の他の実施例１のガス遮断装置の機能ブロック図
【図２】同装置のプログラムフロー図
【図３】本発明の実施例のガス遮断装置の機能ブロック図
【図４】同装置のプログラムフロー図
【図５】本発明の他の実施例２のガス遮断装置の機能ブロック図
【図６】同装置のプログラムフロー図
【図７】本発明の他の実施例３のガス遮断装置の機能ブロック図
【図８】同装置のプログラムフロー図
【図９】従来のガス遮断装置の機能ブロック図
【符号の説明】
【００５３】
１  流量センサ部
２  流量判定部
３  弁駆動部
４  弁
５  強制遮断入力手段
６  強制遮断判定部
７  許可信号入力手段
８  遮断許可判定部
９  自動復帰判定部
１０  漏れ判定部
１１  双方向弁駆動部
１２  双方向弁
１３  再入力判定部
１４  ＬＥＤ通信部
【図１】
2008117425.tif 000003
【図２】
2008117425.tif 000004
【図３】
2008117425.tif 000005
【図４】
2008117425.tif 000006
【図５】
2008117425.tif 000007
【図６】
2008117425.tif 000008
【図７】
2008117425.tif 000009
【図８】
2008117425.tif 000010
【図９】
2008117425.tif 000011